(57)【要約】【課題】  暗闇でも太陽電池の電力で、ＬＥＤの点灯が極めて簡易な照明要素とソーラーＬＥＤライトを提供すること。【解決手段】  太陽電池９ａと蓄電池９ｂから成る電力供給部９と、照明スイッチ１３で電力供給部９からの電力によって発光するＬＥＤ１２とから成る照明要素ａにおいて、照明スイッチ１３が、そのスイッチ押圧部を鏡面１３ｂを有する鏡板１３ａとしてなる。  また、ソーラーＬＥＤライトは、前記照明要素ａを平面視所要形状の偏平ケースに収め、一面に太陽電池９ａの受光面を露出させ、他面に鏡面１３ｂを露出した鏡板１３ａを配設し、一側部にストラップ取付部７を設け、該一側部に対向する他側部にＬＥＤ１２の照射面を露出してなる。【選択図】          図２
2007087911.tif 000002
【特許請求の範囲】
【請求項１】
太陽電池と、該太陽電池で発電された電気を蓄える蓄電池とから成る電力供給部と、スイッチ押圧部を有する照明スイッチを介して、該電力供給部からの電力で発光するＬＥＤと、から成る照明要素において、
前記照明スイッチが、そのスイッチ押圧部を鏡面を有する鏡板として成る照明要素。
【請求項２】
請求項１記載の照明要素と、該照明要素を収める平面視所要形状の偏平ケースとから成り、一面に太陽電池の受光面を露出させ、他面に鏡面を露出した鏡板を配設し、一側部にストラップ取付部を設け、該一側部に対向する他側部にＬＥＤの照射面を露出して成り、鏡板を押すことでＬＥＤを点灯できることを特徴とするソーラーＬＥＤライト。
【発明の詳細な説明】
【技術分野】
【０００１】  本発明は、太陽電池を内臓した照明要素と、該照明要素を用いたソーラーＬＥＤライトに関する。
【背景技術】
【０００２】  太陽電池と、該太陽電池で発電された電気を蓄える蓄電池とから成る電力供給部と、照明スイッチを介して該電力供給部からの電力で発光するＬＥＤと、から成る照明要素をボディに内臓した携帯用充電器が、特許公報：特許第３６６５０６２号（特許文献１）に提案されている。
しかし、前記特許文献１におけるＬＥＤを点灯する照明スイッチは、特定部位の点灯ボタンの押圧で作動されるものであるから、暗闇での点灯ボタンの押圧には手間取るものである。
【特許文献１】  特許第３６６５０６２号公報
【発明の開示】
【発明が解決しようとする課題】
【０００３】  本発明は上記に鑑みて、暗闇でも太陽電池の電力によるＬＥＤの点灯が極めて簡易な照明要素と、ソーラーＬＥＤライトを提供するものである。
【課題を解決するための手段】
【０００４】  本発明の請求項１記載の照明要素は、太陽電池と、該太陽電池で発電された電気を蓄える蓄電池とから成る電力供給部と、スイッチ押圧部を有する照明スイッチを介して該電力供給部からの電力で発光するＬＥＤと、から成る照明要素において、
前記照明スイッチが、そのスイッチ押圧部を鏡面を有する鏡板としてなる。
また、請求項２記載のソーラーＬＥＤライトは、請求項１記載の照明要素と、該照明要素を収める平面視所要形状の偏平ケースとから成り、一面に太陽電池の受光面を露出させ、他面に鏡面を露出した鏡板を配設し、一側部にストラップ取付部を設け、該一側部に対向する他側部にＬＥＤ照射面を露出して成る。
【発明の効果】
【０００５】  本発明によれば、電池交換不要は勿論のこと、平らな鏡板をスイッチ押圧部とするため、暗闇でも即座にＬＥＤを点灯でき、また、構造的には押しボタンやスライドスイッチなどの部材に要するコストが削減された簡易構造となり、その上、お洒落な鏡としても提供できるのである。
【発明を実施するための最良の形態】
【０００６】  本発明における鏡板は、それ自体単独で押圧されるものから、絶縁材による柔軟材の上に重畳されて押圧されるものなどであり、単独の鏡板は絶縁材による変形自在なものであり、柔軟材を介するものは剛体のものでも対応できる。
【実施例】
【０００７】  本発明を実施例により説明すると、図２に示すように、平面視略矩形状の上ケース１は、凹部２にのぞき窓３が開口され、下面に嵌着凹部４が凹設され、左方の中央に円弧凹部５が凹設され、右方には小孔６を貫設したストラップ取付部７を突出し、左方の左右と右方の左右にそれぞれ嵌着ピン８が垂下されてなる。
そして、照明要素ａは太陽電池９ａと、その裏面に重畳される蓄電池９ｂとから成る電力供給部９と、一方の＋電極１０を電力供給部９の＋電極に接続し、他方の−電極１１を蓄電池９ｂの−電極に接続するＬＥＤ１２と、前記−電極を押圧する照明スイッチ１３におけるスイッチ押圧部としての鏡板１３ａとからなる。
一方、下ケース１４は平面視上ケース１と同形状で、その凹部１５にのぞき窓１６が開口され、上面には前記上ケース１の嵌着凹部４に嵌着する嵌着凸部１７が周設され、左方の中央に円弧凹部１８が凹設され、左方の左右と右方の左右にそれぞれ前記嵌着ピン８に嵌着する嵌着穴１９が凹設されて成る。
したがって、下ケース１４の凹部１５に受光面を下面にした太陽電池９ａが収納されて該受光面をのぞき窓１６より露出させ、円弧凹部１８にＬＥＤ１２の円弧面を嵌め込み、蓄電池９ｂの−電極の上面には中央に抜き穴２０がありかつ弾性復元力を有する絶縁材２１を被せ、ＬＥＤ１２の−電極１１を該絶縁材２１の上面から抜き穴２０を介して蓄電池９ｂの−電極にのぞませ、該−電極１１の上方に鏡面１３ｂを上面にした鏡板１３ａが被せられる。
この状態で下ケース１４の嵌着凸部１７を前記嵌着凹部４に嵌着し、上ケース１の円弧凹部５にＬＥＤ１２の円弧面を嵌め込むとともに、嵌着ピン８を嵌着穴１９に嵌着して下ケース１４に上ケース１が被せられ上ケース１ののぞき窓３から照明スイッチ１３における鏡板１３ａの鏡面１３ｂを露出して成る。【０００８】  このように組み立てられた上ケース１のストラップ取付部７の小孔６にストラップ２２が取り付けられて図１に示すソーラーＬＥＤライトＡが提供される。
このものはストラップ２２が自動車のキーホルダー（図外）などに取り付けられて使用されるが、使用に際しては、鏡板１３ａを押すだけでＬＥＤ１２の−電極１１が蓄電池９ｂの−電極に接触するから電気回路が閉回路となってＬＥＤ１２が点灯する。
このように押しボタンやスライドスイッチなどの特定部位の操作がなく、かつ、押圧力解放に伴う絶縁材２１の復元力で照明スイッチ１３がＯＦＦとなり、暗闇でのＬＥＤ１２の点消灯が極めて簡易となって自動車のエンジンキーの差し込みや、ドアーロックの開閉がし易くなる上、点灯操作部が鏡面１３ｂであるから、お洒落な鏡としても使われるのである。
なお、使用しているＬＥＤ１２が７０００ｍｃｄであるため、視認性が良好で１キロ先からでも確認可能であることから、野外キャンプや登山用グッズとしても利用され得る。また、本発明の照明要素ａにおいて、鏡板１３ａに代えて鏡面１３ｂのない平板を使用したとしても、特定部位の操作がなく、該平板の押圧及び押圧解放によって絶縁材２１の弾性復元力を介して、照明スイッチ１３を点消灯する限りにおいては、本発明の技術範囲に属するものである。このほか、鏡板１３ａを介してＯＮ、ＯＦＦスイッチを間接的に操作するなどは、本発明から容易に想起できる事項である。
【産業上の利用可能性】
【０００９】  本発明は、自動車のキーホルダーに収められて使用できるから、車社会にマッチした商品として、また、レジャー用品として、大いにその需要が期待される。
【図面の簡単な説明】
【００１０】
【図１】  本発明のソーラーＬＥＤライトＡの正面図。
【図２】  ソーラーＬＥＤライトＡのストラップ２２を除いた分解図。
【符号の説明】
【００１１】１  上ケース
２  凹部
３  のぞき窓
４  嵌着凹部
５  円弧凹部
６  小孔
７  ストラップ取付部
８  嵌着ピン
９ａ  太陽電池
９ｂ  蓄電池
９  電力供給部
１０  ＋電極
１１  −電極
１２  ＬＥＤ
１３    照明スイッチ
１３ａ  鏡板
１３ｂ  鏡面
１４  下ケース
１５  凹部
１６  のぞき窓
１７  嵌着凸部
１８  円弧凹部
１９  嵌着穴
２０  抜き穴
２１  絶縁材
２２  ストラップ
ａ  照明要素
Ａ  ソーラーＬＥＤライト
【図１】
2007087911.tif 000003
【図２】
2007087911.tif 000004